【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
複数の前払い式駐車場のうちのいずれかを選択して利用するユーザの情報処理端末と前記複数の駐車場を集中的に管理する管理サーバとを用いて前記複数の駐車場を管理する方法であって、
前記情報処理端末および／または前記管理サーバが、ユーザが車両と共にいずれかの駐車場に入庫する入庫ステージにおいて、前記情報処理端末の位置取得部を用いて取得された現在位置に基づき、前記複数の駐車場のうち前記現在位置の近傍に位置するものを複数の候補駐車場として選択し、それら候補駐車場を前記情報処理端末の画面上に表示する駐車場表示工程と、
前記情報処理端末および／または前記管理サーバが、ユーザが、いずれかの駐車場を選択するための第１指示を前記情報処理端末に対して行うと、前記複数の候補駐車場のうちのいずれかを、ユーザが利用したい利用駐車場として選択する駐車場選択工程と、
前記情報処理端末および／または前記管理サーバが、ユーザが、前記利用駐車場の希望駐車時間の長さに見合う額の前払い駐車料金の支払指示と、ユーザおよび／または車両に固有の識別情報の入力とを前記情報処理端末に対して行うと、ユーザが前記利用駐車場に入庫する権限をユーザに付与する入庫許可工程と、
前記情報処理端末および／または前記管理サーバが、ユーザの車両が前記利用駐車場から出庫する出庫ステージにおいて、ユーザが前記利用駐車場からの出庫を確認するための第２指示を前記情報処理端末に対して行うと、ユーザが前記車両と共に前記利用駐車場から出庫したことを確認する出庫確認工程と
を含む駐車場管理方法。
【請求項２】
前記駐車場選択工程は、前記入庫ステージにおいて、前記情報処理端末の現在位置の前記利用駐車場からの距離が許容値以下でないと、前記第１指示をアクセプトしない状態で実施され、
前記出庫確認工程は、前記出庫ステージにおいて、前記情報処理端末の現在位置の前記利用駐車場からの距離が前記許容値以下であるか否かを問わず、前記第２指示をアクセプトする状態で実施される請求項１に記載の駐車場管理方法。
【請求項３】
前記駐車場選択工程が、前記入庫ステージにおいて、前記情報処理端末の現在位置の前記利用駐車場からの距離が許容値以下でないと、前記第１指示をアクセプトしない状態で実施されることと、前記出庫確認工程が、前記情報処理端末の現在位置の前記利用駐車場からの距離が前記許容値以下であるか否かを問わず、前記第２指示をアクセプトする状態で実施されることとのうちの少なくとも一方が採用される請求項１に記載の駐車場管理方法。
【請求項４】
さらに、前記情報処理端末および／または前記管理サーバが、ユーザが、前記希望駐車時間の満了前に、前記希望駐車時間を延長するための第３指示と、前記希望駐車時間の延長に見合う額の延長料金の支払指示とを前記情報処理端末に対して行うと、前記希望駐車時間を延長する延長工程を含む請求項１ないし３のいずれかに記載の駐車場管理方法。
【請求項５】
前記延長工程は、前記情報処理端末の現在位置の前記利用駐車場からの距離が前記許容値以下であるか否かを問わず、前記第３指示をアクセプトする状態で実施される請求項４に記載の駐車場管理方法。
【請求項６】
前記識別情報は、ユーザＩＤ、ユーザの車両の識別番号、および前記駐車場の複数の車室のうちユーザの車両が入庫する車室の識別番号のうちの少なくとも一つを含む請求項１ないし５のいずれかに記載の駐車場管理方法。
【請求項７】
前記識別情報は、互いに異なる複数の実体であってユーザに関連するものをそれぞれ識別する複数種類の識別情報の組合せを含む請求項１ないし６のいずれかに記載の駐車場管理方法。
【請求項８】
発券機も精算機も用いることなく、ユーザによる前払い駐車料金の電子決済に対応するため、チケットレス方式、精算機レス方式およびキャッシュレス方式で運営される複数の駐車場を集中的に管理するシステムであって、
前記複数の駐車場を集中的に管理する管理サーバであって、いずれかの駐車場を利用するユーザの情報処理端末と遠距離無線通信可能であるものと、
前記情報処理端末と通信可能な決済サーバと
を含み、
前記情報処理端末は、
ユーザからの入力に基づき、前記複数の駐車場のうちのいずれかを選択駐車場として選択する駐車場選択部と、
前記選択駐車場についての前払い駐車料金を取得する料金取得部と、
前記前払い駐車料金を電子決済するために必要な決済情報を前記決済サーバに送信する決済情報送信部と
を含み、
前記決済サーバは、
前記情報処理端末から受信した決済情報に基づき、前記前払い駐車料金を電子決済する電子決済部と、
その電子決済が完了すると、そのことを表す決済完了信号を前記情報処理端末に送信する決済完了信号送信部と
を含む駐車場管理システム。
【請求項９】
発券機も精算機も用いることなく、ユーザによる前払い駐車料金の電子決済に対応するため、チケットレス方式、精算機レス方式およびキャッシュレス方式で運営される複数の駐車場を集中的に管理するシステムであって、
前記複数の駐車場を集中的に管理する管理サーバであって、いずれかの駐車場を利用するユーザの情報処理端末と遠距離無線通信可能であるものと、
前記情報処理端末と通信可能な決済サーバと
を含み、
前記情報処理端末は、
前記複数の駐車場のうちユーザによって選択された選択駐車場を特定するための駐車場情報を前記管理サーバに送信する駐車場情報送信部と、
前記選択駐車場におけるユーザの車両を特定するための車両情報を前記管理サーバに送信する車両情報送信部と、
前記選択駐車場についての前払い駐車料金を取得する料金取得部と、
前記前払い駐車料金を電子決済するために必要な決済情報を前記決済サーバに送信する電子決済情報送信部と
を含み、
前記管理サーバは、前記情報処理端末から受信した駐車場情報によって特定される駐車場ＩＤに関連付けて、前記情報処理端末から受信した車両情報をメモリに保存する情報保存部を含み、
前記決済サーバは、前記情報処理端末から受信した決済情報に基づき、前記前払い駐車料金を電子決済する電子決済部を含み、
前記管理サーバが、前記電子決済が完了すると、ユーザに前記選択駐車場を利用する権限が付与されたことを表す信号を前記情報処理端末に送信する利用権限付与部を含むことと、前記決済サーバが、前記電子決済が完了すると、そのことを表す決済完了信号を前記情報処理端末に送信する決済完了信号送信部を含むこととのうちの少なくとも一方を採用する駐車場管理システム。
【請求項１０】
請求項１ないし９のいずれかに記載の情報処理端末として機能するために実行されるプログラム。
【請求項１１】
請求項１ないし９のいずれかに記載の管理サーバとして機能するために実行されるプログラム。
【請求項１２】
請求項１０または１１に記載のプログラムをコンピュータ読み取り可能に記録した記録媒体。
【手続補正２】
【補正対象書類名】明細書
【補正対象項目名】発明の名称
【補正方法】変更
【補正の内容】
【発明の名称】駐車場管理方法および駐車場管理システム
【手続補正３】
【補正対象書類名】明細書
【補正対象項目名】００２０
【補正方法】変更
【補正の内容】
【００２０】
その課題を解決するために、本発明の第１の側面によれば、複数の前払い式駐車場のうちのいずれかを選択して利用するユーザの情報処理端末と前記複数の駐車場を集中的に管理する管理サーバとを用いて前記複数の駐車場を管理する方法であって、
前記情報処理端末および／または前記管理サーバが、ユーザが車両と共にいずれかの駐車場に入庫する入庫ステージにおいて、前記情報処理端末の位置取得部を用いて取得された現在位置に基づき、前記複数の駐車場のうち前記現在位置の近傍に位置するものを複数の候補駐車場として選択し、それら候補駐車場を前記情報処理端末の画面上に表示する駐車場表示工程と、
前記情報処理端末および／または前記管理サーバが、ユーザが、いずれかの駐車場を選択するための第１指示を前記情報処理端末に対して行うと、前記複数の候補駐車場のうちのいずれかを、ユーザが利用したい利用駐車場として選択する駐車場選択工程と、
前記情報処理端末および／または前記管理サーバが、ユーザが、前記利用駐車場の希望駐車時間の長さに見合う額の前払い駐車料金の支払指示と、ユーザおよび／または車両に固有の識別情報の入力とを前記情報処理端末に対して行うと、ユーザが前記利用駐車場に入庫する権限をユーザに付与する入庫許可工程と、
前記情報処理端末および／または前記管理サーバが、ユーザの車両が前記利用駐車場から出庫する出庫ステージにおいて、ユーザが前記利用駐車場からの出庫を確認するための第２指示を前記情報処理端末に対して行うと、ユーザが前記車両と共に前記利用駐車場から出庫したことを確認する出庫確認工程と
を含む駐車場管理方法が提供される。
また、本発明の第２の側面によれば、発券機も精算機も用いることなく、ユーザによる前払い駐車料金の電子決済に対応するため、チケットレス方式、精算機レス方式およびキャッシュレス方式で運営される複数の駐車場を集中的に管理するシステムであって、
前記複数の駐車場を集中的に管理する管理サーバであって、いずれかの駐車場を利用するユーザの情報処理端末と遠距離無線通信可能であるものと、
前記情報処理端末と通信可能な決済サーバと
を含み、
前記情報処理端末は、
ユーザからの入力に基づき、前記複数の駐車場のうちのいずれかを選択駐車場として選択する駐車場選択部と、
前記選択駐車場についての前払い駐車料金を取得する料金取得部と、
前記前払い駐車料金を電子決済するために必要な決済情報を前記決済サーバに送信する決済情報送信部と
を含み、
前記決済サーバは、
前記情報処理端末から受信した決済情報に基づき、前記前払い駐車料金を電子決済する電子決済部と、
その電子決済が完了すると、そのことを表す決済完了信号を前記情報処理端末に送信する決済完了信号送信部と
を含む駐車場管理システムが提供される。
また、本発明の第３の側面によれば、発券機も精算機も用いることなく、ユーザによる前払い駐車料金の電子決済に対応するため、チケットレス方式、精算機レス方式およびキャッシュレス方式で運営される複数の駐車場を集中的に管理するシステムであって、
前記複数の駐車場を集中的に管理する管理サーバであって、いずれかの駐車場を利用するユーザの情報処理端末と遠距離無線通信可能であるものと、
前記情報処理端末と通信可能な決済サーバと
を含み、
前記情報処理端末は、
前記複数の駐車場のうちユーザによって選択された選択駐車場を特定するための駐車場情報を前記管理サーバに送信する駐車場情報送信部と、
前記選択駐車場におけるユーザの車両を特定するための車両情報を前記管理サーバに送信する車両情報送信部と、
前記選択駐車場についての前払い駐車料金を取得する料金取得部と、
前記前払い駐車料金を電子決済するために必要な決済情報を前記決済サーバに送信する電子決済情報送信部と
を含み、
前記管理サーバは、前記情報処理端末から受信した駐車場情報によって特定される駐車場ＩＤに関連付けて、前記情報処理端末から受信した車両情報をメモリに保存する情報保存部を含み、
前記決済サーバは、前記情報処理端末から受信した決済情報に基づき、前記前払い駐車料金を電子決済する電子決済部を含み、
前記管理サーバが、前記電子決済が完了すると、ユーザに前記選択駐車場を利用する権限が付与されたことを表す信号を前記情報処理端末に送信する利用権限付与部を含むことと、前記決済サーバが、前記電子決済が完了すると、そのことを表す決済完了信号を前記情報処理端末に送信する決済完了信号送信部を含むこととのうちの少なくとも一方を採用する駐車場管理システムが提供される。
本発明によって下記の各態様が得られる。各態様は、項に区分し、各項には番号を付し、必要に応じて他の項の番号を引用する形式で記載する。これは、本発明が採用し得る技術的特徴の一部およびそれの組合せの理解を容易にするためであり、本発明が採用し得る技術的特徴およびそれの組合せが以下の態様に限定されると解釈すべきではない。すなわち、下記の態様には記載されていないが本明細書には記載されている技術的特徴を本発明の技術的特徴として適宜抽出して採用することは妨げられないと解釈すべきなのである。